(57)【特許請求の範囲】
【請求項１】
天井で隠蔽されている天井裏空間に垂下して設けられている施工対象物の位置を、該施工対象物の近隣に位置させて該天井に形成された貫通孔を利用して、該天井下から確認するための位置確認具であって、
上記天井の上記貫通孔を介して、該天井下から上記天井裏空間へ挿通するための位置確認用のロッドと、該ロッドの上記天井に対する垂直を保ちつつ、該ロッドの上下スライド操作と回転操作とを案内するために、該天井下面に当接される環状座部、該環状座部に対して直角に垂設される中空筒部、並びに、該環状座部から該中空筒部に亘って一連に形成され、当該ロッドが貫通される通孔を有するガイドとを備え、
上記ロッドは、上記ガイドを貫通する真直な軸部と、該ガイド上方から上記天井裏空間へ向けて突出される該軸部の上方部分に、当該ロッドを斜めに折り曲げて形成され、該ロッドがその上下スライド操作や回転操作で上記施工対象物に接するか否かを上記天井下で確認するための接触子と、該ガイド下方から突出される該軸部の下方部分に、当該ロッドを該接触子と同方向に折り曲げて形成され、該接触子が該施工対象物に接したときに、該天井下で該施工対象物が位置する向きを上記貫通孔位置から表示する方向表示子とを有し、
さらに、上記ロッドは、折り曲げで形成された上記接触子の横方向寸法が異なる複数種類が備えられることを特徴とする位置確認具。
【請求項２】
前記ガイドは、硬質な素材で形成された前記環状座部に、可撓性を有する素材で形成された前記中空筒部が着脱自在に設けられて構成され、前記ロッドは、上記ガイドに対して交換可能に、当該ガイドに挿抜自在に挿通されることを特徴とする請求項１に記載の位置確認具。
【請求項３】
前記ガイドは、前記中空筒部の長さ方向両端に前記環状座部を有することを特徴とする請求項１または２に記載の位置確認具。
【請求項４】
前記ロッドの前記軸部には、前記ガイドを貫通する上下方向に目盛が設けられていることを特徴とする請求項１〜３いずれかの項に記載の位置確認具。
【発明の詳細な説明】
【技術分野】
【０００１】
本発明は、天井で隠蔽されている天井裏空間の施工対象物の位置がおおよそ判っているときに、施工対象物の近隣に位置させて天井に貫通孔を形成することを前提として、施工対象物が天井裏空間に垂下して設けられている場合を含めて、きわめて手軽な構成でありがなら、高い精度で、当該施工対象物の位置を天井下から確認することが可能な位置確認具に関する。
【背景技術】
【０００２】
天井で隠蔽されている天井裏空間に設けられている対象物を天井下などの外部から簡易に確認する技術として、特許文献１が知られている。
【０００３】
特許文献１の「確認点検用ＴＶカメラ装置と確認点検装置」は、天井裏、壁裏、床下等に小さな孔から容易にＴＶカメラ及び照明ライトを挿入させることができて、これら場所の状態を簡単に撮影することができる確認点検用ＴＶカメラ装置を提供することを目的とし、ＴＶＡカメラ装置は一端に把持部を設けこの把持部の上端に屈曲可能な棒体の一端が連結されこの棒体の先端に小型のＴＶカメラと、小型の照明ランプとを備えており、棒体を屈曲させることによりＴＶカメラと、小型の照明ランプの向きを変えることができるようになっている。
【先行技術文献】
【特許文献】
【０００４】
【特許文献１】特開平８−３２８５０号公報
【発明の概要】
【発明が解決しようとする課題】
【０００５】
背景技術は、簡易な構成によって、天井で隠蔽されている天井裏空間に設けられている対象物を確認することが可能であり、その位置もある程度は知ることができる。しかしながら、天井裏空間の対象物の位置を、天井下などの外部から、高い精度で確認し知る場合には、複雑かつ高価な距離計などを高い位置精度でセッティングして計測を行う必要があって、容易く実施することは困難であった。
【０００６】
簡単に位置を確認する方法として、打音検査なども考えられるが、天井に付設されていない、例えば天井裏空間に吊り下げられているなど、垂下状態で設けられている対象物の位置を知ることはできなかった。
【０００７】
本発明は上記従来の課題に鑑みて創案されたものであって、天井で隠蔽されている天井裏空間の施工対象物の位置がおおよそ判っているときに、施工対象物の近隣に位置させて天井に貫通孔を形成することを前提として、施工対象物が天井裏空間に垂下して設けられている場合を含めて、きわめて手軽な構成でありがなら、高い精度で、当該施工対象物の位置を天井下から確認することが可能な位置確認具を提供することを目的とする。
【課題を解決するための手段】
【０００８】
本発明にかかる位置確認具は、天井で隠蔽されている天井裏空間に垂下して設けられている施工対象物の位置を、該施工対象物の近隣に位置させて該天井に形成された貫通孔を利用して、該天井下から確認するための位置確認具であって、上記天井の上記貫通孔を介して、該天井下から上記天井裏空間へ挿通するための位置確認用のロッドと、該ロッドの上記天井に対する垂直を保ちつつ、該ロッドの上下スライド操作と回転操作とを案内するために、該天井下面に当接される環状座部、該環状座部に対して直角に垂設される中空筒部、並びに、該環状座部から該中空筒部に亘って一連に形成され、当該ロッドが貫通される通孔を有するガイドとを備え、上記ロッドは、上記ガイドを貫通する真直な軸部と、該ガイド上方から上記天井裏空間へ向けて突出される該軸部の上方部分に、当該ロッドを斜めに折り曲げて形成され、該ロッドがその上下スライド操作や回転操作で上記施工対象物に接するか否かを上記天井下で確認するための接触子と、該ガイド下方から突出される該軸部の下方部分に、当該ロッドを該接触子と同方向に折り曲げて形成され、該接触子が該施工対象物に接したときに、該天井下で該施工対象物が位置する向きを上記貫通孔位置から表示する方向表示子とを有し、さらに、上記ロッドは、折り曲げで形成された上記接触子の横方向寸法が異なる複数種類が備えられることを特徴とする。
【０００９】
前記ガイドは、硬質な素材で形成された前記環状座部に、可撓性を有する素材で形成された前記中空筒部が着脱自在に設けられて構成され、前記ロッドは、上記ガイドに対して交換可能に、当該ガイドに挿抜自在に挿通されることを特徴とする。
【００１０】
前記ガイドは、前記中空筒部の長さ方向両端に前記環状座部を有することを特徴とする。
【００１１】
前記ロッドの前記軸部には、前記ガイドを貫通する上下方向に目盛が設けられていることを特徴とする。
【発明の効果】
【００１２】
本発明にかかる位置確認具にあっては、天井で隠蔽されている天井裏空間の施工対象物の位置がおおよそ判っているときに、施工対象物の近隣に位置させて天井に貫通孔を形成することを前提として、施工対象物が天井裏空間に垂下して設けられている場合を含めて、きわめて手軽な構成でありがなら、高い精度で、当該施工対象物の位置を天井下から確認することができる。
【図面の簡単な説明】
【００１３】
【図１】本発明に係る位置確認具の好適な一実施形態を示す一部破断側面図である。
【図２】図１に示した位置確認具を下方から見上げた見上げ図である。
【図３】天井裏空間の吊りボルトの位置が概略的に知られた様子を説明する側面図である。
【図４】図１に示した位置確認具で、天井裏空間の吊りボルトの位置を確認する手順を示す工程図である。
【図５】本発明に係る位置確認具の変形例を示す側面図である。
【発明を実施するための形態】
【００１４】
以下に、本発明にかかる位置確認具の好適な一実施形態を、添付図面を参照して詳細に説明する。図１は、本実施形態に係る位置確認具の一部破断側面図、図２は、図１に示した位置確認具を下方から見上げた見上げ図、図３は、施工対象物である天井裏空間の吊りボルトの位置が概略的に知られた様子を説明する側面図、図４は、図１に示した位置確認具で、天井裏空間の吊りボルトの位置を確認する手順を示す工程図である。
【００１５】
本実施形態に係る位置確認具１は、後述する図３及び図４に示すように、天井２で隠蔽されている天井裏空間Ｓに設けられている施工対象物の位置、本実施形態では、垂下して設けられている吊りボルト３の位置を、天井２下から確認するために用いられる。吊りボルト３は、ハンガー４を介して、天井２に取り付けた野縁５に連結されることにより、天井２を室内の上方位置に吊り下げ支持するようになっている。
【００１６】
本実施形態に係る位置確認具１を使用する際、図１〜図４に示すように、吊りボルト３の近隣に位置させて天井２に予め貫通孔６を形成しておき、この貫通孔６を利用して、吊りボルト３の位置が確認される。本実施形態に係る位置確認具１を適用する場合、吊りボルト３の位置はおおよそ知られていればよく、それには、背景技術相当の簡易な装置を採用することで足りる。
【００１７】
本実施形態に係る位置確認具１は、図１及び図２を参照して詳述すると、吊りボルト３の位置を確認するための位置確認用のロッド７と、ロッド７の操作を案内するためのガイド８とから主に構成される。
【００１８】
ロッド７は、撓み変形したり弾性変形したりしないように、金属製もしくは硬質合成樹脂製など、硬質な素材で形成される。ロッド７は、天井２下で操作されて、天井裏空間Ｓ内の吊りボルト３の位置を確認できるように、天井２の貫通孔６を介して、天井２下から天井裏空間Ｓへ挿通するために備えられる。ロッド７は、貫通孔６を通じて、天井裏空間Ｓから天井２下に達する十分な長さ寸法で形成される。
【００１９】
ガイド８は、穴が形成された環状座部９と、その長さ方向に貫通路が形成された中空筒部１０とから構成される。本実施形態では、中空筒部１０の長さ方向一端に環状座部９が設けられている。穴と貫通路の位置を合わせて、環状座部９の下に中空筒部１０が重ねられ、これにより、ガイド８には、環状座部９から中空筒部１０に亘って一連に通孔１１が形成される。通孔１１にはロッド７が貫通され、これにより、ガイド８にロッド７が設けられる。
【００２０】
環状座部９は、貫通孔６を覆い隠す大きさの外形輪郭を有する厚さの薄い平坦な板状材に、その厚さ方向に向けて穴を開設して構成される。環状座部９は位置確認作業時、その穴（通孔１１）を貫通孔６に合わせた状態で天井２の下面２ａに当接されて、用いられる。中空筒部１０は、その貫通路（通孔１１）が環状座部９の穴に合わせられ、環状座部９に対し直角に垂設される。すなわち、環状座部９を天井２の下面２ａに当接することで、中空筒部１０は、天井２の下面２ａから直角に垂下した状態で設けられる。
【００２１】
本実施形態では、ガイド８は、中空筒部１０と環状座部９とが別々の部品で構成される。詳細には、環状座部９には、その穴周りに下方へ僅かに突出させて、環状凸部９ａが形成され、この環状凸部９ａに中空筒部１０の上端部１０ａが環状座部９の下方から着脱自在に装着される。
【００２２】
天井２の下面２ａに当接される環状座部９は、その平面度が狂わないように、金属製や硬質合成樹脂製などの硬質な素材で形成される。中空筒部１０は、ロッド７の挿通に融通が利くように、軟質合成樹脂製などの可撓性を有する素材で形成される。しかしながら、ガイド８は、硬質な素材で形成して、中空筒部１０と環状座部９とを一体に設けた構成としてもよい。
【００２３】
中空筒部１０は、これに挿通されたロッド７が環状座部９に対して傾くことを抑制する長さで形成される。容易に理解されるように、中空筒部１０の長さが短いと、ロッド７は、これと貫通路（通孔１１）との隙間により、大きな振れ幅で傾くのに対し、中空筒部１０の長さを長くすると、この傾きを小さく僅かに抑えることが可能である。換言すると、中空筒部１０は、通孔１１を貫通するロッド７によって、環状座部９に対する直角関係が保持される長さで形成される。
【００２４】
ガイド８の通孔１１と天井２の貫通孔６が合わせられるので、ロッド７は、天井２下から天井裏空間Ｓへ挿通される。ロッド７の外径寸法は、ガイド８の通孔１１の内径寸法よりも僅かに小さく設定され、ロッド７は、ガイド８の通孔１１に僅かながら融通をもって挿通される。これにより、ロッド７は、ガイド８に上下スライド自在かつ回転自在に挿通され、そして、ガイド８は、このロッド７の上下スライド操作と回転操作とを案内する。
【００２５】
また、ガイド８は、天井２の下面２ａに当接される環状座部９及び環状座部９に直角に設けられた中空筒部１０によって、天井２に対するロッド７の垂直を保つようになっている。
【００２６】
ロッド７は詳細には、ガイド８を構成する環状座部９及び中空筒部１０の通孔１１を貫通する真直な軸部７ａと、ガイド８上方から天井裏空間Ｓへ向けて突出される軸部７ａの上方部分に、ロッド７を斜めに折り曲げて形成される接触子７ｂと、天井２下でガイド８下方から突出される軸部７ａの下方部分に、ロッド７を接触子７ｂと同方向に折り曲げて形成される方向表示子７ｃとを有する。すなわち、ロッド７の長さ方向両端部に、接触子７ｂと方向表示子７ｃとが形成される。接触子７ｂは、折り曲げで形成されることで、上下方向に対し、水平方向に向かう横方向寸法Ｈを有する。
【００２７】
接触子７ｂは、ロッド７が、ガイド８、すなわち天井２に対して上下スライド操作されることで、天井裏空間Ｓ内での高さ位置が定められ、また、ロッド７が回転操作されることで、ロッド７の軸心周りに旋回される。ロッド７が上下スライドされることにより、中空筒部１０の下端で出入りする当該ロッド７の軸部７ａには、接触子７ｂの高さ位置を、中空筒部１０の下端位置で読み取りできるように、目盛りを付しておいてもよい。
【００２８】
旋回される接触子７ｂは、それが吊りボルト３に接したか否かを、軸部７ａを介して天井２下で確認するために備えられる。接触子７ｂは、軸部７ａと吊りボルト３との距離に応じて、言い換えれば、その横方向寸法Ｈの大小で、吊りボルト３に接したり、接しなかったりする。接触子７ｂの横方向寸法Ｈが大きければ、旋回半径が大きいので、吊りボルト３に接する可能性が高く、横方向寸法Ｈが小さければ、旋回半径が小さいため、吊りボルト３に接する可能性は低い。
【００２９】
ロッド７は、接触子７ｂの横方向寸法Ｈが異なる複数種類が備えられる。例えば、接触子７ｂの横方向寸法Ｈが数ｍｍピッチで異なる複数本のロッド７が用いられる。軸部７ａ、すなわち貫通孔６と吊りボルト３との距離は、吊りボルト３に接した最小の横方向寸法Ｈの接触子７ｂを有するロッド７と、吊りボルト３に接しなかった最大の横方向寸法Ｈの接触子７ｂを有するロッド７とにより、後者の寸法よりも大きくて、前者の寸法よりも小さいことが分かる。
【００３０】
方向表示子７ｃは、吊りボルト３との接触を確認するために横方向寸法Ｈが設定される接触子７ｂとは異なり、方向が分かる程度に僅かに折り曲げて形成される。方向表示子７ｃは、接触子７ｂと同方向に折り曲げられているため、接触子７ｂが吊りボルト３に接して旋回が規制されたときに直ちに、天井２下で、その折り曲げ方向により、貫通孔６位置から吊りボルト３が位置する向きを表示する。
【００３１】
ロッド７の軸部７ａには、当該ロッド７の天井裏空間Ｓへの挿入長さ、具体的には接触子７ｂの高さ位置を確認するために、ガイド８を貫通する上下方向に目盛１３が設けられる。天井下面２ａからどの程度、天井裏空間Ｓへロッド７を挿入したかを確認でき、このように挿入した寸法（接触子７ｂの高さ位置）が分かることで、接触子７ｂを接触させて位置を確認する対象が吊りボルト３になるようにすることが可能となる。
【００３２】
複数種類のロッド７は、１つのガイド８に対して交換可能に、ガイド８に挿抜自在に挿通される。詳細には、中空筒部１０から環状座部９を外し、次いで、環状座部９に、ロッド７の接触子７ｂ側から軸部７ａを挿し通す一方で、中空筒部１０の可撓性を利用して、当該中空筒部１０に、ロッド７の方向表示子７ｃ側から軸部７ａを挿し通し、軸部７ａ位置で中空筒部１０を環状座部９に装着する。これにより、ロッド７は、ガイド８に対し、交換可能に取り付けられる。
【００３３】
次に、本実施形態に係る位置確認具１の作用について、図３及び図４を用いて説明する。天井裏空間Ｓの吊りボルト３の概略的な位置、すなわち図３に示すように、実際の吊りボルト３の位置に対し、誤差Ｄを含んだその近隣の位置Ｌを見出すことは比較的容易である。本実施形態に係る位置確認具１は図４（Ａ）に示すように、事前に、吊りボルト３の近隣に位置させて、天井２に貫通孔６が形成され、この貫通孔６を利用して使用に供される。
【００３４】
まず、位置確認具１を組み立て、当該位置確認具１を貫通孔６にセットする。位置確認具１の組み立ては、ロッド７に対し、接触子７ｂ側から環状座部９を、方向表示子７ｃ側から中空筒部１０を挿し通し、軸部７ａ位置で環状座部９に中空筒部１０を取り付けて行う。これにより、図４（Ｂ）に示すように、ガイド８の通孔１１にロッド７が貫通した位置確認具１が組み立てられる。
【００３５】
接触子７ｂの横方向寸法Ｈが異なる複数種類のロッド７のいずれかを、他のものに交換するときには、ロッド７に組み付けられているガイド８の環状座部９と中空筒部１０とを軸部７ａ位置で分離し、その後、これら環状座部９及び中空筒部１０をロッド７から抜き出せば、上記した組立手順によって、他のロッド７に交換することができる。
【００３６】
位置確認具１を貫通孔６にセットする際には、一方の手でロッド７を持って、接触子７ｂ側から貫通孔６に挿入していき、少なくとも軸部７ａが貫通孔６を介して天井裏空間Ｓに達したら、他方の手でガイド８を持って、環状座部９を天井２の下面２ａに当接させる。環状座部９を天井２の下面２ａに当接すると、環状座部９と直角をなす中空筒部１０によって、ロッド７の天井２に対する垂直が保たれる。
【００３７】
その後、一方の手で、ロッド７をガイド８に対して上下スライド操作して、天井裏空間Ｓにおける接触子７ｂの高さ位置を設定する。
【００３８】
次いで、同じ一方の手で、ロッド７を回転操作する。図４（Ｃ）に示すように、接触子７ｂが吊りボルト３に接するならば、天井２下において、貫通孔６から吊りボルト３までの距離が、使用しているロッド７の接触子７ｂの横方向寸法Ｈ（Ｈ１）よりも短いことが分かる。この際、方向表示子７ｃにより、貫通孔６位置から吊りボルト３が位置する向きも分かることになる。
【００３９】
次いで、図４（Ｄ）に示すように、接触子７ｂの横方向寸法Ｈ（Ｈ２）がワンサイズ下のロッド７に交換し、図４（Ｂ）と同様に操作する。図示例では、ワンサイズ下のロッド７でも、接触子７ｂが吊りボルト３に接する場合が示されている。次いで、図４（Ｅ）に示すように、接触子７ｂの横方向寸法Ｈ（Ｈ３）がツーサイズ下のロッド７に交換し、図４（Ｂ）と同様に操作する。
【００４０】
図示例では、ツーサイズ下のロッド７では、吊りボルト３に接しない場合が示されている。従って、図示例では、ワンサイズ下のロッド７の接触子７ｂが吊りボルト３に接する最小の横方向寸法Ｈ２のものであり、ツーサイズ下のロッド７の接触子７ｂが吊りボルト３に接しない最大の横方向寸法Ｈ３のものであって、吊りボルト３は、これら２種類のロッド７の接触子７ｂの横方向寸法Ｈ２，Ｈ３の間の距離だけ、貫通孔６位置から離れて、垂下されていることが分かる。
【００４１】
図示例では、接触子７ｂの横方向寸法Ｈをサイズダウンするようにロッド７を選んで実施する場合を説明したが、反対に、接触子７ｂの横方向寸法Ｈをサイズアップするようにロッド７を選んで実施するようにしてもよく、この場合には、吊りボルト３に初めて接したロッド７の接触子７ｂと、その直前の吊りボルト３に接しなかったロッド７の接触子７ｂそれぞれの横方向寸法Ｈの間の距離が、貫通孔６位置からの吊りボルト３までの距離であることが分かる。
【００４２】
このようにして吊りボルト３の位置が確認されると、吊りボルト３に対する施工を行うために、各種作業、例えば図４（Ｆ）に示すように、カッタ１２により、吊りボルト３直下の天井２に作業用穴を形成するための穿孔作業が行われる（図中、梨地で示す）。
【００４３】
以上説明した本実施形態に係る位置確認具１にあっては、天井２で隠蔽されている天井裏空間Ｓに設けられている吊りボルト３の位置を、当該吊りボルト３の近隣に位置させて天井２に形成された貫通孔６を利用して、天井２下から確認するための位置確認具１であって、天井２の貫通孔６を介して、天井２下から天井裏空間Ｓへ挿通するための位置確認用のロッド７と、ロッド７の天井２に対する垂直を保ちつつ、ロッド７の上下スライド操作と回転操作とを案内するために、天井２の下面２ａに当接される環状座部９、環状座部９に対して直角に垂設される中空筒部１０、並びに、環状座部９から中空筒部１０に亘って一連に形成され、当該ロッド７が貫通される通孔１１を有するガイド８とを備え、ロッド７は、ガイド８を貫通する真直な軸部７ａと、ガイド８上方から天井裏空間Ｓへ向けて突出される軸部７ａの上方部分に、当該ロッド７を斜めに折り曲げて形成され、ロッド７がその上下スライド操作や回転操作で吊りボルト３に接するか否かを天井２下で確認するための接触子７ｂと、ガイド８下方から突出される軸部７ａの下方部分に、当該ロッド７を接触子７ｂと同方向に折り曲げて形成され、接触子７ｂが吊りボルト３に接したときに、天井２下で吊りボルト３が位置する向きを貫通孔６位置から表示する方向表示子７ｃとを有し、さらに、ロッド７は、折り曲げで形成された接触子７ｂの横方向寸法Ｈが異なる複数種類が備えられていて、ガイド８とロッド７というきわめて手軽な構成であり、従って安価であり、そして、ガイド８に対しロッド７を上下スライド操作及び回転操作し、これにより吊りボルト３に接するか否かを確認するだけという容易な操作のみで、天井裏空間Ｓの吊りボルト３の位置を、天井２で隔てられた天井２下から、高い精度で確認することができる。
【００４４】
本実施形態に係る位置確認具１は、吊りボルト３の位置が大まかに分かっていれば、天井２に貫通孔６を形成するだけで適用できるので、広く採用することができる。ガイド８によってロッド７の天井２に対する垂直を保つことができ、精度よく吊りボルト３の位置を確認することができる。
【００４５】
ガイド８によってロッド７の上下スライド操作が案内されるので、ロッド７の接触子７ｂを、天井裏空間Ｓ内の意図した高さ位置にセッティングでき、垂下して設けられている吊りボルト３の位置を適切に確認できる。ガイド８によってロッド７の回転操作が案内されるので、ロッド７の接触子７ｂが吊りボルト３に接したことが直ちに、吊りボルト３のある向きの確認となり、その方向を、接触子７ｂと同方向の方向表示子７ｃで知ることができる。
【００４６】
接触子７ｂの横方向寸法Ｈが異なる複数種類のロッド７を備えるので、回転操作による接触子７ｂの旋回半径を順次変えることで、確実かつ高い精度で、吊りボルト３の位置を確認することができる。
【００４７】
ガイド８は、硬質な素材で形成された環状座部９に、可撓性を有する素材で形成された中空筒部１０が着脱自在に設けられて構成され、ロッド７は、ガイド８に対して交換可能に、当該ガイド８に挿抜自在に挿通されるので、サイズの異なる複数種類のロッド７と単一のガイド８とで位置確認用のツールを構成することができ、部品点数が少なく、安価であってかつ優れた可搬性を発揮できる。
【００４８】
もちろん、各ロッド７それぞれが個別にガイド８を有するセットに構成してもよい。この場合は、ロッド７をガイド８に対して交換する必要がないので、ガイド８は、環状座部９と中空筒部１０を一体として形成してよく、例えば、樹脂製一体成形品として作製することができる。この場合には、ガイド８にロッド７を挿通した後に、ロッド７の折り曲げにより、接触子７ｂ及び方向表示子７ｃを形成すればよい。
【００４９】
ロッド７の軸部７ａに、ガイド８を貫通する上下方向に目盛１３を設けたので、接触子７ｂを接触させて位置を確認する対象が吊りボルト３となるように、接触子７ｂの天井裏空間Ｓでの高さ位置を確認することができる。
【００５０】
図５には、上記実施形態の変形例が示されている。上記実施形態では、環状座部９が中空筒部１０の長さ方向一端に設けられる場合について説明したが、この変形例では、中空筒部１０の長さ方向両端に環状座部９が設けられている。ロッド７の接触子７ｂ及び方向表示子７ｃは、いずれも当該ロッド７を折り曲げて形成されるので、いずれか一方を天井裏空間Ｓ内に突出させ、他方を天井２下に位置させれば使用可能であって、上下を反転させれば、接触子７ｂを方向表示子７ｃとして、方向表示子７ｃを接触子７ｂとして機能させることが可能である。このため、中空筒部１０の長さ方向両端双方に環状座部９を設けてガイド８を反転使用可能とし、かつ、ロッド７の両端部に形成されて接触子７ｂとされ、また方向表示子７ｃとされる折り曲げ部分の横方向寸法Ｈａ，Ｈｂ（Ｈａ≠Ｈｂ）を異ならせることで、一つの位置確認具１でツーサイズ分の２回の位置確認作業を実施することができる。このようにすれば、ロッド７を交換する手間を省くことができ、また、交換するロッド７の本数も半減できて、操作性が良好で、さらに安価な位置確認具１と構成することができる。ロッド７の交換については、中空筒部１０に２つの環状座部９を設けた場合であっても、これら環状座部９を中空筒部１０から取り外して、中空筒部１０からロッド７を抜き出し、次いで、交換する他のロッド７を中空筒部１０に挿通し、その後、２つの環状座部９をロッド７の両端部側からそれぞれ挿入して、ロッド１０の軸部７ａ位置で、中空筒部１０に対し２つの環状座部９を取り付けるようにすればよい。このような変形例であっても、上記実施形態と同様の作用効果を奏することはもちろんである。
【符号の説明】
【００５１】
１  位置確認具
２  天井
２ａ  天井下面
３  吊りボルト
６  貫通孔
７  ロッド
７ａ  軸部
７ｂ  接触子
７ｃ  方向表示子
８  ガイド
９  環状座部
１０  中空筒部
１１  通孔
Ｈ  接触子の横方向寸法
Ｓ  天井裏空間
【図１】
0006608321.tif 000002
【図２】
0006608321.tif 000003
【図３】
0006608321.tif 000004
【図４】
0006608321.tif 000005
【図５】
0006608321.tif 000006